(57)【要約】【課題】背フレームに肘掛け装置が取付けられた椅子において、肘掛け装置の支持強度に優れた構造とする。【解決手段】背フレーム６を構成する前向きアーム７の前部が支軸８でベースに連結されている。前向きアーム７の前部７ａの前面に、支軸８の貫通穴２０を含むエリアの段落ち部２１が形成されており、段落ち部２１に、貫通穴２０を囲う凹陥部２４と、肘掛け装置１３を取り付ける肘取付け穴２５とが形成されている。肘掛け装置１３の内向き部１５には、段落ち部２１を塞ぐフランジ２２と、肘取付け穴２４に嵌まるボス体２６とが形成されており、ボス体２６と前向きアーム７とがボルト３０で固定されている。肘掛け装置１３に作用した荷重が前向きアーム７の前部７ａに対してモーメントとして作用することは殆どないため、高い支持強度を得ることができる。【選択図】図４
2019042080.tif 000002
【特許請求の範囲】
【請求項１】
脚装置の上端に設けたベース体に後傾動自在に連結された背フレームと、前記背フレームに取付けられた肘掛け装置とを備えており、前記肘掛け装置は、上端に肘当てが設けられた肘支柱の下端部から前記背フレームに向けて延びる内向き部を備えている構成であって、
前記背フレームは、その前端部を中心にして回動するように左右横長の支軸によって前記ベースに連結されており、前記背フレームの側面のうち前記支軸の貫通穴を含む前部を、左右内側にずれた段落ち部と成して、この段落ち部のうち前記貫通穴よりも後ろの部位に、肘取付け穴を形成している一方、
前記肘掛け装置における内向き部のうち前記背フレームを向いた先端に、前記背フレームの段落ち部に重なるフランジと、前記肘取付け穴にずれ不能に嵌まるボス体とを設けており、前記背フレームの前部と内向き部のボス体とがボルトで固定されている、
椅子。
【請求項２】
前記肘取付け穴は、前記貫通穴よりも後ろでかつ上側に位置しており、前記内向き部のフランジは、前記内向き部の先端から前方と下方とに大きく張り出している、
請求項１に記載した椅子。
【請求項３】
前記背フレームの前部には、前記支軸の貫通穴を囲う凹陥部が前記段落ち部よりも深く形成されており、前記凹陥部に、前記支軸と平行で頭付きの補助ビスが、前記支軸の軸心方向から見て頭と支軸とが部分的に重複するようにして取付けられている一方、
前記肘掛け装置を取り付けないときに前記段落ち部に重なるカバーに、弾性変形して前記補助ビスの頭に係合する係合爪を設けている、
請求項１又は２に記載した椅子。
【請求項４】
前記背フレームのうち段落ち部を形成している前部は上下幅が大きくなっている、
請求項１〜３のうちのいずれか記載した椅子。
【発明の詳細な説明】
【技術分野】
【０００１】
本願発明は、肘掛け装置を備えた椅子に関するものである。
【背景技術】
【０００２】
肘掛け装置付き椅子において、肘掛け装置を椅子のどの部分に取り付けるかは様々であるが、背もたれが後傾動するロッキング椅子では、背もたれが取り付けられた背フレームに肘掛け装置を取り付けることが行われている。
【０００３】
その例として特許文献１には、背フレームのうち回動支点よりも後ろの部位の上面に、肘掛け装置の内向き部をビス（ボルト）で固定することが開示されている。他方、特許文献２には、背フレームのうち回動支点よりも後ろ部位の側面に肘掛け装置取付け穴を設けて、肘掛け装置の内向き部に突設したボス体を肘掛け装置取付け穴に嵌め入れて、ボス体と背フレームとをビスで固定することが記載されている。いずれにおいても、ビスは背フレームに下方から挿通している。
【先行技術文献】
【特許文献】
【０００４】
【特許文献１】特許第５３７８７５９号公報
【特許文献２】特開２０１７−６４０３５号公報
【発明の概要】
【発明が解決しようとする課題】
【０００５】
特許文献１，２のように背フレームに肘掛け装置を取り付けると、肘掛け装置は背もたれの後傾動と一緒に姿勢が変化するため、ロッキング時に着座した人の腕の姿勢が変化することがなくて、肘掛け装置の使用感に優れている利点がある。
【０００６】
しかし、特許文献１のように肘掛け装置を背フレームの上面に固定する構成では、背フレームの上に肘掛け装置を固定するためのスペースが必要になるため、他の部材が背フレームの上面に近接している場合は取り付けることができず、このため、汎用性に劣るという問題がある。これに対して特許文献２では、背フレームの側面は外側に開放されているため、背フレームの上にスペースの余裕がなくても肘掛け装置を取り付けることができて、適用対象が広くて汎用性が高いと云える。
【０００７】
本願発明はこのような現状に鑑み成されたものであり、背フレームの側面部に肘掛け装置を取り付けることは特許文献２の考え方を踏襲しつつ、強度を高めるなど、改善された構成を提供せんとするものである。 
【課題を解決するための手段】
【０００８】
本願発明の椅子は、脚装置の上端に設けたベース体に後傾動自在に連結された背フレームと、前記背フレームに取付けられた肘掛け装置とを備えており、前記肘掛け装置は、上端に肘当てが設けられた肘支柱の下端部から前記背フレームに向けて延びる内向き部を備えている、という基本構成である。
【０００９】
そして、請求項１の発明では、上記基本構成において、
「前記背フレームは、その前端部を中心にして回動するように左右横長の支軸によって前記ベースに連結されており、前記背フレームの側面のうち前記支軸の貫通穴を含む前部を、左右内側にずれた段落ち部と成して、この段落ち部のうち前記貫通穴よりも後ろの部位に、肘取付け穴を形成している一方、
前記肘掛け装置における内向き部のうち前記背フレームを向いた先端に、前記背フレームの段落ち部に重なるフランジと、前記肘取付け穴にずれ不能に嵌まるボス体とを設けており、前記背フレームの前部と内向き部のボス体とがボルトで固定されている」
という構成になっている。
【００１０】
請求項２の発明は、請求項１において、前記肘取付け穴は、前記貫通穴よりも後ろでかつ上側に位置しており、前記内向き部のフランジは、前記内向き部の先端から前方と下方とに大きく張り出している。
【００１１】
請求項３の発明は、請求項１又は２において、
前記背フレームの前部には、前記支軸の貫通穴を囲う凹陥部が前記段落ち部よりも深く形成されており、前記凹陥部に、前記支軸と平行で頭付きの補助ビスが、前記支軸の軸心方向から見て頭と支軸とが部分的に重複するようにして取付けられている一方、
前記肘掛け装置を取り付けないときに前記段落ち部に重なるカバーに、弾性変形して前記補助ビスの頭に係合する係合爪を設けている。
【００１２】
請求項４の発明は、請求項１〜３のうちのいずれかにおいて、前記背フレームのうち段落ち部を形成している前部は上下幅が大きくなっている。
【発明の効果】
【００１３】
さて、背フレームのうち回動支点よりも後ろの部位に肘掛け装置を取り付けると、肘掛け装置の荷重は、背フレームに対して曲げモーメント及びねじり力として作用する。そして、曲げモーメントは、肘掛け装置の取付け位置が背フレームの回動支点から遠ざかるほど大きくなる。同様に、ねじりによる変形も、肘掛け装置の取付け位置が背フレームの回動支点から遠ざかるほど大きくなる。
【００１４】
しかるに、本願発明では、肘掛け装置は、背フレームの回動支点にごく近い前部において背フレームに取付けられているため、背フレームに作用する曲げモーメントを殆ど無くすことができると共に、ねじり変形も防止できる。従って、背フレームの負担を軽減して、肘掛け装置に対する背フレームの支持強度を向上できる。
【００１５】
また、本願発明では、背フレームの段落ち部の全体が内向き部のフランジで覆われるため、支軸が貫通している貫通穴を塞ぐためのカバーは不要であり、それだけ部材点数を軽減して構造を簡素化できる。段差は人目に触れないので、美観の悪化も生じない。
【００１６】
内向き部のフランジは、内向き部の倒れに対する抵抗として作用させ得るが、フランジが背フレームから下向きに張り出しているため、肘当てに作用した荷重によって内向き部が下向きに倒れようとすると、フランジが背フレームの段落ち部に突っ張ることにより、内向き部の倒れに対する抵抗として作用する。このため、ベースに対する内向き部の取付け強度を向上させることができる。
【００１７】
肘掛け装置はオプション品であるため、椅子に取付けない場合がある。この場合は、段落ち部にカバーを装着して美観を保持する必要がある。他方、背フレームをベースに連結している支軸については、何らかの抜け止め手段が必要である。これらについては、請求項３の構成を採用すると、１本の補助ビスを、カバーの取付けと支軸の抜け止めとに兼用できるため、それだけ構造を簡単化することができる。
【００１８】
背フレームのうち肘掛け装置の取付け部には、肘当てに作用した荷重が作用するが、請求項４では、背フレームのうち肘掛け装置の取付け部の上下幅が大きくなっているため、肘掛け装置に対する背フレームの支持強度を格段に向上させることができる。従って、上記したように背フレームに対する曲げモーメントやねじれ変形を無くすことができることと相まって、背フレームの堅牢性を向上させることができる。
【図面の簡単な説明】
【００１９】
【図１】椅子の外観を示す図で、（Ａ）は斜視図、（Ｂ）は正面図、（Ｃ）は平面図である。
【図２】椅子の分離斜視図である。
【図３】（Ａ）は肘掛け装置を背フレームに取り付けた状態での斜視図、（Ｂ）は分離斜視図である。
【図４】（Ａ）（Ｂ）は背フレームの構造を示す斜視図、（Ｃ）は内向き部の構造を示す斜視図である。
【図５】（Ａ）は背フレームと内向き部とを前方から見た分離斜視図、（Ｂ）は内向き部を下方から見た斜視図である。
【図６】（Ａ）は背フレームと内向き部とを下方から見た分離斜視図、（Ｂ）は内向き部を下方から見た斜視図である。
【図７】（Ａ）は肘掛け装置を固定するボルトの軸心部で切断した縦断正面図、（Ｂ）は支軸の軸心部で切断した縦断正面図である。
【図８】肘掛け装置を取付けない場合の対応を示す図で、（Ａ）はカバーを装着した状態の斜視図、（Ｂ）はカバーを分離した状態での斜視図、（Ｃ）は支軸の軸心箇所で切断した縦断正面図である。
【発明を実施するための形態】
【００２０】
(1).概要
次に、本願発明の実施形態を図面に基づいて説明する。まず、概要を説明する。本実施形態は、オフィスで多用されている回転椅子に適用している。椅子は、基本要素として座１と脚装置２と背もたれ３とを備えおり、脚支柱（ガスシリンダ）の上端に固定したベース５に背フレーム６を後傾動自在に連結し、背フレーム６に背もたれ３を取付けている。なお、脚装置２を構成する各枝杆の先端にはキャスタを設けているが、図１（Ａ）（Ｂ）では、キャスタは１つしか表示していない。
【００２１】
図２，３から明瞭に理解できるように、背フレーム６は前部材６ａと後ろ部材６ｂとで構成されており、前部材６ａに前向き突設した左右の前向きアーム７がベース５に左右長手の支軸８で連結されている一方、後ろ部材６ｂに背もたれ３が取付けられている。図２に示すように、座１はアウターシェル９で支持されており、アウターシェル９は、ベース５と背フレーム６とに連結された中間部材１０に取付けられている。従って、本実施形態では、座１は、背もたれ３のロッキングに連動して後退しつつ後傾する。なお、背フレーム６を構成する前後の部材６ａ，６ｂのうち、前部材６ａは例えばアルミダイキャスト品で後ろ部材６ｂは樹脂の成形品であるが、素材は任意に設定できる。
【００２２】
左右の前向きアーム７は、筒部１１及び荷重受け部１２を介して一体に連結されている。荷重受け部１２には、図示しないばねユニットが手前から当接しており、ばねユニットを伸縮させることによって、背もたれ３がロッキングする。なお、背フレーム６は、全体を一体の構造にすることも可能であるし、左右の部材に分離された構造とすることも可能である。
【００２３】
背フレーム６を構成する左右の前向きアーム７の前部７ａに、肘掛け装置１３が取付けられている。肘掛け装置１３は、筒状のアウター肘支柱１４とその下端に一体に設けた内向き部１５とでサポートユニットが構成されており、アウター肘支柱１４の内部にはインナー肘支柱１６が配置されて、インナー肘支柱１６の上端に肘当て１７を取付けている。アウター肘支柱１４及び内向き部１５からなるサポートユニットは、例えば、アルミダイキャスト品である（樹脂製品とすることも可能である。）。
【００２４】
肘掛け装置１３は、肘当て１７が可動式のものと固定式のものとがあるが、本実施形態は、可動式のものに適用している。但し、図２では，参考として固定式の肘掛け装置を表示している。
【００２５】
そして、本実施形態では、肘当て１７が高さ調節自在でかつ前後動及び水平回動自在な可動式になっている。そこで、例えば図１（Ｂ）に示すように、インナー肘支柱１６の上端部に、高さ調節に際してロックを解除するためのレバー１８を前向きに設けている。可動式と固定式とで部材を共用することも可能である。なお、肘当て１７の高さのみ調節できて、水平動はできないタイプとすることも可能である。
【００２６】
(2).肘掛け装置の取付け構造
次に、主として図４以降の図面を参照して、肘掛け装置１３の取付け構造を説明する。肘掛け装置１３は背フレーム６における前向きアーム７の前部７ａに取付けられているが、例えば図４（Ａ）（Ｂ）に示すように、前向きアーム７のうち肘掛け装置１３が取付けられる前部７ａは、下方に膨れた状態で上下幅が大きくなっており、支軸８が嵌まっている貫通穴２０は、前端側でかつ下寄りの部位に形成されている。
【００２７】
そして、前向きアーム７の前部７ａ（肘掛け装置１３の取付け部）は、左右内側に若干の寸法（数ｍｍ）だけずれた段落ち部２１となっている一方、肘掛け装置１３における内向き部１５の先端には、段落ち部２１にぴったり重なるフランジ２２が形成されている。フランジ２２は内向き部１５の上端部には存在しておらず、内向き部１５の前後両側と下方とに広がっている。
【００２８】
従って、正確には、内向き部１５の先端面とフランジ２２とで段落ち部２１が塞がれていることになる。図７（Ａ）に示すように、フランジ２２の外周部及び内向き部１５の上端縁には、段落ち部２１の内周面に近接する嵌合段部２３を形成している。また、図７（Ａ）に明示するように、フランジ２２は、外端に向けて厚さが厚くなっている。
【００２９】
図４（Ａ）（Ｂ）のとおり、段落ち部２１には、支軸８の貫通穴２０と連通した凹陥部２４と、凹陥部２４よりも上でかつ後ろ側に位置した肘取付け穴２５とが形成されている。凹陥部２４は、貫通穴２０を囲うように形成されており、貫通穴２０は、凹陥部２４の底に開口した状態になっている。肘取付け穴２５は、側面視で前後長手の長方形に形成されている。肘取付け穴２５の下方（凹陥部２４の後ろ）には、材料を節約するための逃がし穴２６を形成している。
【００３０】
他方、図４（Ｃ）（Ｄ）のとおり、肘掛け装置１３における内向き部１５の先端面には、前向きアーム７の肘取付け穴２５に嵌まる角形のボス体２７が突設されており、ボス体２７の上面に形成した角穴２８にナット２９を回転不能に保持して、前向きアーム７及びボス体２７に下方から挿通したボルト３０をナット２９にねじ込むことにより、肘掛け装置１３の内向き部１５を前向きアーム７の前部７ａに固定している。
【００３１】
図７（Ａ）に明示するように、前向きアーム７の前部７ａの下面には、ボルト３０の頭が入り込む座繰り穴３１を形成している。また、本実施形態では、肘当て１７における内向き部１５の先端部に左右長手の金属製のジョイント板３２を貫通して配置しており、ジョイント板３２の一端部はボス体２７の下面に重ねて、ボス体２７と前向きアーム７との間に挟み固定されており、ジョイント板３２の他端部は、肘掛け装置１３における内向き部１５の下面にビス３３で固定されている。
【００３２】
肘当て１７に使用限度以上の荷重が掛かってボス体２７がその付け根箇所で折損しても、肘掛け装置１３と前向きアーム７とはジョイント板３２で繋がっているため、肘掛け装置１３が椅子から離脱して使用者に大きな危険が及ぶことを防止できる。従って、ジョイント板３２は安全対策品であるが、通常の使用状態で補強部材としても機能している。
【００３３】
肘掛け装置１３の内向き部１５のうち、ジョイント板３２をビス３３で固定している部分は上向きに抉られた凹所３４になっており、凹所３４の底面にジョイント板３２がビス３３で固定されている。凹所３４の前後両側に位置した壁３４ａは、フランジ２２に向けて低くなるように傾斜している。従って、内向き部１５は、全体として頑丈な構造になっている。
【００３４】
なお、図６に示すように、肘掛け装置１３における内向き部１５の下面には、材料を節約するための凹所の群が形成されており、隣り合った凹所の間の部分はリブ状になっている。
【００３５】
(3).肘掛け装置不使用時の対応
図４（Ｂ）に示すように、前向きアーム７における前部７ａの凹陥部２４は、リブ３５で上下に仕切られており、リブ３５を部分的に切除して、切除部に、図７（Ｂ）に示すように、鍋形の頭３６ａを有する補助ビス３６がねじ込まれている。補助ビス３６は、その頭３６ａをリブ３５に当接させることにより、ねじ込み深さを一定にすると共に脱落を防止している。
【００３６】
また、補助ビス３６の頭３６ａは、リブ３５の上下両側にはみ出ている。更に、支軸８の軸心方向から見て、補助ビス３６の頭３６ａと支軸８とが部分的に重なっている。従って、支軸８は補助ビス３６で抜け止めされている。
【００３７】
図７に明示するように、支軸８はかなりの長さで貫通穴２０に嵌まっているが、支軸８の端面から補助ビス３６の頭３６ａまでの間隔は、支軸８か貫通穴２０に嵌まっている寸法よりも遥かに短い寸法になっている。そして、何らかの理由で支軸８がその軸方向に移動すると、支軸８が補助ビス３６の頭３６ａに当接して移動が停止するが、支軸の移動可能距離は、貫通穴２０に嵌まっている寸法に比べて遥かに小さいため、支軸８が軸方向にずれ動いても、支軸８と前向きアーム７との連結強度が低下することはない。
【００３８】
肘掛け装置１３における前向き部１５のフランジ２２も支軸の移動に対するストッパーとして機能し得るが、補助ビス３６は前向きアーム７にしっかりとねじ込まれているため、支軸８が頭３６ａに当たっても抜けることはない。従って、支軸８の抜け止めを確実に阻止できる。
【００３９】
肘掛け装置１３はオプション品であるので、椅子に取り付けないことがある。この場合は、図８に示すように、前向きアーム７の前部は樹脂製のカバー３７で塞いでいる。従って、カバー３７は段落ち部２１と同じ側面視形状であり、段落ち部２１に嵌まり込んで、カバー３７とその後ろの部分とが同一面状になっている。
【００４０】
図８（Ｂ）に示すように、カバー３７は、段落ち部２１の内側に入り込む突片３８を有しており、これにより、正確に位置決めされている。また、凹陥部２４にねじ込んだ補助ビス３６の頭３６ａに上下両側から係合する一対の係合爪３９を内向きに突設している。一対の係合爪３９で補助ビス３６の頭３６ａを掴持することにより、カバー３７は脱落不能に保持される。
【００４１】
係合爪３９の先端面は傾斜面３９ａになっている。従って、カバー３７を段落ち部２１に重なるようにセットすると、係合爪３９は傾斜面３９ａのガイド作用によっていったん逃げ回動し、カバー３７が段落ち部２１に重なると、係合爪３９は元の姿勢に戻って補助ビスの頭３６ａを掴持する。補助ビス３６は、カバー３７の取付けと支軸８の抜け止めとに共用されるため、部材点数を抑制して構造を簡単化できる。
【００４２】
補助ビス３６は肘掛け装置１３の取付けに関係なく、前向きアーム７にねじ込まれている。これにより、既述した支軸８の抜け防止機能を発揮する。補助ビス３６の頭３６ａはフランジ２２よりもかなり内側（奥側）に位置しているため、係合爪３９もある程度の長さを有している。従って、カバー３７の着脱に際して係合爪３９の曲がり変形を確実化させることができ、着脱を容易化できると共に折損も防止できる。なお、図８（Ｃ）ではリブ３５は省略している。
【００４３】
図８（Ｂ）に示すように、カバー３７の後端部には位置決め突起４０を設けている一方、前向きアーム７の段落ち部２１には、位置決め突起４０が嵌まる位置決め穴４１を設けている。従って、カバー３７は、突片３８と位置決め突起４０とで正確に位置決めされている。
【００４４】
(4).まとめ
以上の構成において、肘掛け装置１３は前向きアーム７の前部７ａに固定されているため、肘掛け装置１３に対する荷重が前向きアーム７に対してモーメントとして作用することは殆どなく、従って、前向きアーム７による肘掛け装置１３の支持強度を向上できる。
【００４５】
また、本実施形態では、支軸８が挿通された貫通穴２０を塞ぐカバーは不要であり、前向きアーム７の前部７ａは肘掛け装置１３の内向き部１５で塞がれるため、部材点数を軽減して構造を簡素化できる。
【００４６】
また、肘掛け装置１３に作用した荷重は、図７（Ａ）に矢印４２で示すように下向きのモーメントとして使用するが、フランジ２２が下方にはみ出ているため、下向きモーメント４２は、矢印４３で示すように、フランジ２２のうち下向き張り出し部を前向きアーム７に密着させる力として作用する。そして、本実施形態では、フランジ２２の下向き張り出し寸法が大きいため、モーメントをしっかりと支えて、高い支持強度を確保することができる。
【００４７】
そして、肘掛け装置１３の取付け部である前向きアーム７の前部７ａは上下幅が大きくなっているため、前向きアーム７は、肘掛け装置１３に作用した荷重を広い面積で分散して支持することができる。これにより、更に高い支持強度を得ることができる。
【００４８】
実施形態のように、肘取付け穴２５を貫通穴２０の後ろでかつ上側に配置すると、前向きアーム７における前部７ａのうち肘取付け穴２５の下方の部分は、肘掛け装置１３の内向き部１５に作用したモーメントの支持部として機能させることができるため、強度面で更に有利である。つまり、貫通穴２０と肘取付け穴２５との前後間隔をできるだけ小さくして前向きアーム７の前部７ａをコンパクト化しつつ、肘掛け装置１３の支持強度を向上できるのである。
【００４９】
以上、本願発明の実施形態を説明したが、本願発明は、他にも様々に具体化できる。例えば、実施形態では上下長手のボルトでボス体２７を前向きアーム７の前部７ａに固定したが、ボス体２７を水平姿勢で貫通するボルトによって固定することも可能である。
【産業上の利用可能性】
【００５０】
本願発明は、実際に椅子に具体化できる。従って、産業上利用できる。
【符号の説明】
【００５１】
５  ベース
６  背フレーム
７  背フレームを構成する前向きアーム
８  支軸
１３  肘掛け装置
１４  アウター肘支柱
１５  肘掛け装置を構成する内向き部
１６  インナー肘支柱
１７  肘当て
２０  貫通穴
２１  段落ち部
２２  フランジ
２４  凹陥部
２５  肘取付け穴
２７  ボス体
２９  ナット
３０  ボルト
３６  補助ビス
３６ａ  補助ビスの頭
３７  カバー
３９  係合爪
【図１】
2019042080.tif 000003
【図２】
2019042080.tif 000004
【図３】
2019042080.tif 000005
【図４】
2019042080.tif 000006
【図５】
2019042080.tif 000007
【図６】
2019042080.tif 000008
【図７】
2019042080.tif 000009
【図８】
2019042080.tif 000010